(57)【特許請求の範囲】
【請求項１】
主電源入力端子に供給された電力を遮断またはジャック部に接続するリレーと、前記ジャック部に挿入された容量提示電源コードのプラグ部に設けられた凹みよりなるデジタルコードの有無を検出する容量検出スイッチと、容量検出スイッチからのデジタル化情報にもとづいて前記容量呈示電源コードの端末に接続された負荷の最大定格値の総和を演算し、その値が電源コンセントの定格値を超えている場合は前記リレーに対して遮断指令を出す容量判別部とを含むことを特徴とする容量判断付き電源コンセント。
【請求項２】
前記容量検出スイッチとしてマイクロスイッチを用いる請求項１記載の容量判断付き電源コンセント。
【請求項３】
前記容量検出スイッチとして光学的スイッチを用いる請求項１記載の容量判断付き電源コンセント。
【請求項４】
前記容量検出スイッチとして磁気的スイッチを用いる請求項１記載の容量判断付き電源コンセント。
【請求項５】
前記プラグ部が絶縁体である請求項１記載の容量判断付き電源コンセント。
【請求項６】
前記プラグ部が導電体である請求項１記載の容量判断付き電源コンセント。
【発明の詳細な説明】
【０００１】
【発明の属する技術分野】
本発明は容量判断付き電源コンセント、特に、各負荷の最大定格負荷容量の総和を検出して、その値が規定以上の場合は電源供給を中止する容量判断付き電源コンセントに関する。
【０００２】
【従来の技術】
従来から、ブレーカー等の復帰型電流遮断装置を組み込んだ電源コンセントやフューズ等の回路遮断装置を組み込んだ配線器具等が、実用化されている。
【０００３】
上記従来例では、定格値を大幅に越えたときのみ作動し、定格値近傍時は作動しないため、定格値近傍で長時間使用していると配線器具が加熱し、器具の劣化及び火災の原因となる欠点が有った。また、複数口の電源コンセントやテーブル・タップにおいては、総合使用電流量の把握がしにくく、往々に定格値オーバーで使用されており危険性が多大であった。
【０００４】
従来の技術について図面を参照して詳細に説明する。
【０００５】
図２および図３は従来の一例を示す斜視図およびブロック図である。（例えば、特開平１０−１４４４２３号公報参照）。図において１０１はテーブル・タップの外装である、外装上面には複数個のコンセント１０２が形成されている。又外装上面の一端には消費電流状態を表示するＬＥＤ表示１０６が組み込まれている。
【０００６】
また、外装の一端に電源コード１０３が装着されており、電源コード１０３の平行線の片方の線は外装内で、ＣＴ型の電流検知センサー１０４の穴を貫通して、各コンセント１０２の一端と接合されている。また、電源コード１０３の他方の線は各コンセント１０２の他端と接合されている。
【０００７】
電流検出センサー１０４の出力端子は回路ユニット１０５と接続されており、ＡＣ電源とは絶縁状態を形成している。
【０００８】
電流検知センサー１０４の出力は回路ユニット１０５内の整流回路１０８により、直流に変換され比較回路１０７によって定格値との相対関係を比較し、定格値以内の安全域か定格値オーバの危険域か等の判定をし、ＬＥＤ表示１０６により使用状態を確認可能とする。
【０００９】
この例のテーブル・タップでは安全域及び、定格オーバによる危険或等を緑色、及び赤色のＬＥＤ表示１０６によつて何れかの状態を表示する。
【００１０】
【発明が解決しようとする課題】
上述した従来の技術は電源コンセントに接続された各負荷装置の負荷電流の総和を検出し、この検出値が前述の電源コンセントの許容電流値を超えた場合に、表示ランプを点灯させるか、または前述の電源コンセントの出力を遮断するものなので、各負荷装置が消費する電力が小さいときは正常に動作するが、各負荷装置が最大定格負荷電力を消費するような条件になると自動的に電源が遮断されるという欠点があった。本発明の目的は、電源コンセントに接続され単数または複数の負荷装置の最大定格消費電力値を事前に検出して、この検出値が前述の電源コンセントの規格値よりも大きい場合、各負荷装置に対して電力供給を行なわない電源コンセントを提供することにある。
【００１１】
【課題を解決するための手段】
第１の発明の容量判断付き電源コンセントは、主電源入力端子に供給された電力を遮断またはジャック部に接続するリレーと、前記ジャック部に挿入された容量提示電源コードのプラグ部に設けられた凹みよりなるデジタルコードの有無を検出する容量検出スイッチと、容量検出スイッチからのデジタル化情報にもとづいて前記容量呈示電源コードの端末に接続された負荷の最大定格値の総和を演算し、その値が電源コンセントの定格値を超えている場合は前記リレーに対して遮断指令を出す容量判別部とを含んで構成される。
【００１２】
第２の発明の容量判断付き電源コンセントは、第１の発明において、前記容量検出スイッチとしてマイクロスイッチを用いる。
【００１３】
第３の発明の容量判断付き電源コンセントは、第１の発明において、前記容量検出スイッチとして光学的スイッチを用いる。
【００１４】
第４の発明の容量判断付き電源コンセントは、第１の発明において、前記容量検出スイッチとして磁気的スイッチを用いる。
【００１５】
第５の発明の容量判断付き電源コンセントは、第１の発明において、前記プラグ部が絶縁体である。
【００１６】
第６の発明の容量判断付き電源コンセントは、第１の発明において、前記プラグ部が導電体である請求項１記載の容量判断付き電源コンセント。
【００１７】
【発明の実施の形態】
次に、本発明について図面を参照して詳細に説明する。
【００１８】
図１は本発明の一実施形態を示す模式ブロック図である。図１に示す容量判断付き電源コンセント４０は、主電源入力端子５０ａ、５０ｂに供給された電力を遮断またはジャック部４１、４２に接続するリレー２０と、ジャック部４１、４２に挿入された容量提示電源コード１０のプラグ部１１に設けられた複数の凹みよりなるデジタルコードの有無を検出する容量検出スイッチａ，ｂ，ｃと容量検出スイッチｄ，ｅ，ｆと、容量検出スイッチａ，ｂ，ｃと容量検出スイッチｄ，ｅ，ｆからのデジタル化情報にもとづいて容量提示電源コード１０等の端末に接続された負荷の最大定格値の総和を演算し、その値が電源コンセント４０の定格値を超えている場合はリレー２０に対して遮断指令を出す容量判別部３０とを含んで構成される。
【００１９】
動作について説明する。容量検出スイッチａはＯＮ，容量検出スイッチｂ，ｃはＯＦＦである。容量検出スイッチａがＯＮの場合は１００Ｗ、容量検出スイッチｂがＯＮの場合は２００Ｗ、容量検出スイッチｃがＯＮの場合は４００Ｗを意味するとコード化しておけば、容量提示電源コード１０の端末に接続されている第１の負荷は、その最大定格が２００＋４００＝６００Ｗであると容量判別部３０が判断する。
【００２０】
ジャック部４２に容量提示電源コードのプラグ部が挿入され、容量検出スイッチａ，ｂ，ｃがすべてＯＮになったと仮定すると、第２の負荷の最大定格値は７００Ｗであると容量判別部３０が判断し、さらに第１と第２の負荷の最大定格値の和が１３００Ｗであると判断する。
【００２１】
今、電源コンセント４０の最大許容負荷電力が１０００Ｗであるとすれば、容量判別部３０はリレー２０に対して遮断指令を出す。すなわち、容量提示電源コード１０の端末に接続されている装置の動作の有無にかかわらず、一律に電力供給を行なわないから、システムの過負荷等に対する火災発生等の危険性がなくなる。
【００２２】
なお、容量検出スイッチとしては機械的スイッチの代りに、光学的スイッチ、磁気的スイッチ等の使用が考えられる。
【００２３】
【発明の効果】
本発明の容量判断付き電源コンセントは、容量提示電源コードを電源コンセントに挿入しただけで、接続された機器に電源供給が可能か否かが判断でき、多数の機器が接続された場合でもその最大消費電力の総和が求められるので、電源コンセントの能力を上回るような無理な使用状態を回避できるという効果がある。
【図面の簡単な説明】
【図１】本発明の一実施形態を示す模式ブロック図である。
【図２】従来の一例を示す斜視図である。
【図３】従来の一例を示すブロック図である。
【符号の説明】
１０    容量呈示電源コード
２０    リレー
３０    容量判別部
４０    電源コンセント
【図１】
0003669493.tif 000002
【図２】
0003669493.tif 000003
【図３】
0003669493.tif 000004